(57)【要約】【課題】引出しの上部に設けられた出入り物を引き出したいときに容易に引き出せるようにする。【解決手段】引出し（１）の上部に引出しと同様に出し入れ自在な出入り物（２）が設けられ、引出しと出入り物との間には出入り物の前端部において引出しの背板（３）と係合可能な係合部（４）が設けられ、この係合部により、引出しが引き出されたとき、出入り物が前方へ突出する。【選択図】          図１
2005013248.tif 000002
【特許請求の範囲】
【請求項１】
引出しの上部に引出しと同様に出し入れ自在な出入り物が設けられ、引出しと出入り物との間には出入り物の前端部において引出しの背板と係合可能な係合部が設けられ、この係合部により、引出しが引き出されたとき、出入り物が前方へ突出することを特徴とするキャビネット。
【請求項２】
係合部は、出入り物の前端部裏面に下方に向けて突設された左右一対の係合片であり、この係合片は、出入り物の前端に向かってハの字型に配置されている請求項１記載のキャビネット。
【請求項３】
引出しは引き出し限界を有し、出入り物は、引出し上部のキャビネット本体に配設されたレールに沿って出し入れ自在とされ、引き出され切ったとき、引き出し限界に位置する引出しの上部に載置されるとともに、前端が引出しの前板裏面に、後端がレール前端部にそれぞれ当接し、この当接により引出しの動きが規制される請求項１又は２記載のキャビネット。
【請求項４】
引出し又は出入り物のいずれか一方の後端部に、出入り物の後端部を上方へ浮き上げる弾性体が配設されている請求項１、２又は３いずれかに記載のキャビネット。
【発明の詳細な説明】
【０００１】
【発明の属する技術分野】
この出願の発明は、キャビネットに関するものである。さらに詳しくは、この出願の発明は、引出しの上部に設けられた出入り物を引き出したいときに容易に引き出すことのできるキャビネットに関するものである。
【０００２】
【従来の技術】
引出しの上部に、子引出し、トレイ、プレートあるいは踏み板等の出入り物を引出しと同様に出し入れ自在に備えたキャビネットが知られている（たとえば、特許文献１参照）。
【０００３】
【特許文献１】
特開２００２−１０１９８９号公報
【０００４】
【発明が解決しようとする課題】
上記特許文献１に記載されたキャビネットでは、出入り物を引出しに掛け止めることができるようにしているが、掛け止めを解除すると、出入り物は引出しの上部に収納されたままの状態となり、引出しが引き出された後に出入り物を使用したい場合には、キャビネット本体の内部に手を差し込んで出入り物を引き出さなければならないという不都合がある。
【０００５】
この出願の発明は、このような事情に鑑みてなされたものであり、引出しの上部に設けられた出入り物を引き出したいときに容易に引き出すことのできるキャビネットを提供することを解決すべき課題としている。
【０００６】
【課題を解決するための手段】
この出願の発明は、上記の課題を解決するものとして、引出しの上部に引出しと同様に出し入れ自在な出入り物が設けられ、引出しと出入り物との間には出入り物の前端部において引出しの背板と係合可能な係合部が設けられ、この係合部により、引出しが引き出されたとき、出入り物が前方へ突出することを特徴とするキャビネット（請求項１）を提供する。
【０００７】
また、この出願の発明は、係合部は、出入り物の前端部裏面に下方に向けて突設された左右一対の係合片であり、この係合片は、出入り物の前端に向かってハの字型に配置されていること（請求項２）、引出しは引き出し限界を有し、出入り物は、引出し上部のキャビネット本体に配設されたレールに沿って出し入れ自在とされ、引き出され切ったとき、引き出し限界に位置する引出しの上部に載置されるとともに、前端が引出しの前板裏面に、後端がレール前端部にそれぞれ当接し、この当接により引出しの動きが規制されること（請求項３）、引出し又は出入り物のいずれか一方の後端部に、出入り物の後端部を上方へ浮き上げる弾性体が配設されていること（請求項４）をそれぞれ一態様として提供する。
【０００８】
以下、図面に沿ってこの出願の発明のキャビネットについてさらに詳しく説明する。
【０００９】
【発明の実施の形態】
図１は、この出願の発明のキャビネットの概要を示した図である。
【００１０】
たとえば図１に示したように、この出願の発明のキャビネットには、引出し（１）の上部に引出し（１）と同様に出し入れ自在な、子引出し、トレイ、プレートあるいは踏み板等の出入り物（２）が設けられる。これら引出し（１）と出入り物（２）の間には、出入り物（２）の前端部において引出し（１）の背板（３）と係合可能な係合部（４）が設けられる。そして、この出願の発明のキャビネットでは、図１に示したように、係合部（４）により、引出し（１）が引き出されたときに出入り物（２）が前方へ突出するようになっている。このため、この出願の発明のキャビネットでは、引出し（１）を引き出し、収納物の出し入れを行っている最中に出入り物（２）を使用したくなった場合には、すでに出入り物（２）は前方に突出しているため、前端部を手がかりとして引き出すことができる。前述の従来のキャビネットのように、キャビネット本体（５）の内部に手を差し込んで出入り物（２）を引き出さなければならないという不都合はなく、出入り物（２）の引き出しは容易である。出入り物（２）をしまう場合にはそのまま後方へ押し戻すか、引出し（１）を収納する際に、その前板（６）に出入り物（２）の前端を当接させて引出し（１）とともに押し戻すことができる。
【００１１】
係合部（４）は、引出し（１）の背板（３）の上端部に上方に向けて突設したもの、あるいは出入り物の前端部に下方に向けて突設したもののいずれであってもよい。引出し（１）が引き出されたときに出入り物（２）が前方へ突出するようになる限り特に制限はない。たとえば図２に示したように、係合部（４）は、出入り物（２）の前端部裏面に下方に向けて突設された左右一対の係合片（７）とすることができる。引出し（１）が引き出され、図１に示した引出し（１）の背板（３）が係合片（７）と接触し、係合片（７）を前方へ押し出すことにより、出入り物（２）を前方に突出させることができる。
【００１２】
なお、係合部（４）を上記の係合片（７）とする場合、係合片（７）は、図３に示したように、出入り物（２）の前端に向かってハの字型に配置されるのが好ましい。それというのも、出入り物（２）は、一般に、図１及び図２に示したように、引出し（１）の上部のキャビネット本体（５）に配設されるレール（８）に沿って出入り自在とされ、出入り物（２）をしまう場合、係合片（７）がレール（８）と接触することなく、円滑な収納が実現されるようにするためである。
【００１３】
また、この出願の発明のキャビネットでは、引出し（１）は引き出し限界を有するものとすることができる。具体的には、図１及び図２に示したように、引出し（１）をキャビネット本体（５）と引出し用レール（９）を介して連結することができ、前方へ一定幅引き出したとき、それ以上は引き出すことのできないようにすることができる。この場合、出入り物（２）は、引出し（１）の上部のキャビネット本体（５）に配設されるレール（８）に沿って出入り自在とされるようにするとともに、引き出され切ったとき、出入り物（２）は、図４に示したように、引き出し限界に位置する引出し（１）の上部に載置され、前端が引出し（１）の前板（６）の裏面に、後端がレール（８）の前端部（１０）にそれぞれ当接するようにすることができる。こうすることにより、引出し（１）は引き出し限界に位置するため、出入り物（２）の上記当接により、出入り物（２）が突っ張りの役目をし、引出し（１）の動きを規制することができる。この状態では、引出し（１）は、前後に移動することができず、したがって、出入り物（２）の使用中に不意に引出し（１）が動くことがなく、出入り物（２）の使用を安定で確実なものとすることができる。また、出入り物（２）の使用中に引出し（１）を引き出し限界に位置させるために特別のロック機構を設ける必要がなく、簡便に引出し（１）をその位置に留め置くことができる。引出し（１）を収納する場合には、出入り物（２）の後端部をレール（８）に乗せるだけでよく、その後は引出し（１）は移動可能となり、キャビネット本体（５）内にしまうことができる。もちろん、出入り物（２）を完全にキャビネット本体（５）内にしまった後に引出し（１）をしまうようにしてもかまわない。
【００１４】
なお、図２及び図３に示した左右一対の係合片（７）が出入り物（２）の前端部裏面に下方に向けて突設され、係合片（７）が出入り物（２）の前端に向かってハの字型に配置される場合、係合片（７）により幅合わせされ、出入り物（２）が安定して引出し（１）の上部に載置される。
【００１５】
さらにこの出願の発明のキャビネットでは、図５に示したように、引出し（１）又は出入り物（２）のいずれか一方の後端部に、出入り物（２）の後端部を上方へ浮き上げる弾性体（１１）を配設することができる。弾性体（１１）を配設することにより、出入り物（２）をキャビネット本体（５）内にしまうとき、後端部がレール（８）に乗りやすく、わざわざ持ち上げずにすみ、便利となる。この場合、出入り物（２）の後端部が、図５に示したように、上方へ浮き上がっている状態では、出入り物（２）は、上述した突っ張りの役目を果たさないが、出入り物（２）の使用時に、たとえば収納物を入れたり、踏み台として人が乗ったりする等により、出入り物（２）の後端部が押し下げられ、図４に示したように、レール（８）の前端部（１０）に出入り物（２）の後端が当接し、また、前端が引出し（１）の前板（６）の裏面に当接して突っ張りの役目を果たす。出入り物（２）の使用に支障はない。弾性体（１１）には板バネ等の各種のものを採用することができる。
【００１６】
もちろん、この出願の発明は、以上の実施形態によって限定されるものではない。キャビネット本体、レール、引出し用レールの構成及び構造等の細部については様々な態様が可能であることはいうまでもない。
【００１７】
【発明の効果】
以上詳しく説明したとおり、この出願の発明によって、引出しの上部に設けられた出入り物を引き出したいときに容易に引き出すことができる。
【図面の簡単な説明】
【図１】この出願の発明のキャビネットの概要を示した図である。
【図２】この出願の発明のキャビネットの一実施形態の要部を示した図である。
【図３】図２に示した実施形態における係合片の配置について示した出入り物の裏面図である。
【図４】この出願の発明のキャビネットの一実施形態を示した図である。
【図５】この出願の発明のキャビネットの一実施形態を示した図である。
【符号の説明】
１    引出し
２    出入り物
３    背板
４    係合部
５    キャビネット本体
６    前板
７    係合片
８    レール
９    引出し用レール
１０    レール前端部
１１    弾性体
【図１】
2005013248.tif 000003
【図２】
2005013248.tif 000004
【図３】
2005013248.tif 000005
【図４】
2005013248.tif 000006
【図５】
2005013248.tif 000007